(57)【要約】      （修正有）【課題】仕切板に撓みが発生することを防止する。【解決手段】シャーシ１０と、シャーシ１０内を送風機室１０Ａと熱交換器室１０Ｂとなるように区画すると共に送風機室１０Ａと熱交換器室１０Ｂとを連通させる通風口が形成された仕切板２０と、モータと、シロッコファン４０Ａ〜４０Ｄと、シロッコファン４０Ａ〜４０Ｄの吹出空気を仕切板２０の通風口に案内するようシロッコファン４０Ａ〜４０Ｄを内部に囲むよう配置されるファンケーシング６０Ａ〜６０Ｄとを備える。ファンケーシング６０Ａ〜６０Ｄは、一端が仕切板２０に取り付けれら、反対側の他端がシャーシ１０の背面板１２に取り付けられる。【選択図】図１
2019052793.tif 000002
【特許請求の範囲】
【請求項１】
天面板、該天面板の奥端から立ち下がる背面板、前記天面板の左端から立ち下がる左側面板、及び前記天面板の右端から立ち下がる右側面板を備えるシャーシと、該シャーシの前記左側面板と前記右側面板との間に取り付けられ通風口が形成された仕切板と、モータと、該モータの出力軸に結合され空気を該出力軸に平行な方向から吸い込み遠心方向に吹き出すシロッコファンと、該シロッコファンの吹出空気を前記仕切板の前記通風口に案内するよう前記シロッコファンを内部に囲むよう配置されるファンケーシングと、を備えた空気調和機の室内機において、
前記ファンケーシングは、一端が前記仕切板に取り付けられ、他端が前記シャーシの前記背面板に取り付けられていることを特徴とする空気調和機の室内機。
【請求項２】
請求項１に記載の空気調和機の室内機において、
前記ファンケーシングは、前記一端に前記仕切板に取り付けられる第１取付部が設けられ前記他端に前記背面板に取り付けられる第２取付部が設けられた上面ケーシングと、該上面ケーシングに結合される下面ケーシングとを有し、前記背面板には、前記第２取付部が取り付けられる第３取付部が設けられていることを特徴とする空気調和機の室内機。
【請求項３】
請求項２に記載の空気調和機の室内機において、
前記第２取付部は前記天面板に平行に伸びる第２取付片を有し、前記第３取付部は前記天面板に平行になるように前記背面板から前記仕切板の方向に切り起した第３取付片で形成されていることを特徴とする空気調和機の室内機。
【請求項４】
請求項３に記載の空気調和機の室内機において、
前記第２取付部は、前記第２取付片の他に前記第２取付片の先端から前記第２取付片に対して９０度曲折した方向に伸びる閉塞片が形成され、前記第２取付部が前記第３取付部に取り付けられたとき、前記閉塞片が前記第３取付片の切り起しにより形成された開口を閉じることを特徴とする空気調和機の室内機。
【請求項５】
請求項３又は４に記載の空気調和機の室内機において、
前記下面ケーシングに前記第２取付片と固定される第４取付片が設けられていることを特徴とする空気調和機の室内機。
【請求項６】
請求項２に記載の空気調和機の室内機において、
前記第２取付部は、前記天面板に垂直方向で且つ前記仕切板に垂直方向を向くように前記他端に設けられた連結片と、前記天面板に垂直方向で且つ前記仕切板に平行な方向を向くよう該連結片の先端に設けられた第５取付片とで形成され、
前記第３取付部は、前記背面板から切り起され先端が前記背面板の内側で対向するように折り曲げられた第６取付片と第７取付片とで形成され、
前記第５取付片が前記背面板と前記第６取付片と前記７取付片との間に挿入され、且つ前記第５取付片が前記第６取付片と前記７取付片に固定されることを特徴とする空気調和機の室内機。
【発明の詳細な説明】
【技術分野】
【０００１】
本発明は、天井吊下げ型や天井埋込型の空気調和機の室内機に関する。
【背景技術】
【０００２】
天井埋込型の空気調和機の室内機１００は、図６に示すように、外装筐体１１０が天面パネル１１１、下面パネル１１２、右側面パネル１１３、左側面パネル１１４、背面パネル１１５で構成されている。そして、下面パネル１１２の背面パネル１１５側にはフィルタを備えたグリル１１８が装着された吸込口１１９が設けられ、下面パネル１１２の背面パネル１１５と反対側にはルーバー１１６で開閉される吹出口１１７が設けられている。１２０は室内機１００を天井に吊るすための吊り棒である。（特許文献１）。
【０００３】
このような外装筐体１１０の内部に組み込まれるフレームとして、図７、図８に示すような板金製のシャーシ１０が使用される。このシャーシ１０の内部は、仕切板２０によって、送風機室１０Ａと熱交換器室１０Ｂに区画されている。そして、熱交換器室１０Ｂには、一点鎖線で示す熱交換器３０が仕切板２０に対して傾斜するように配置されている。送風機室１０Ａには、仕切板２０に形成された４個の送風開口２１Ａ〜２１Ｄに位置合わせして取り付けられる４個のシロッコファン４０Ａ〜４０Ｄ、そのシロッコファン４０Ａ〜４０Ｄを回転駆動するモータ５０、その４個のシロッコファン４０Ａ〜４０Ｄを個々に上下から囲むことでそのシロッコファン４０Ａ〜４０Ｄの吹出空気を仕切板２０の通風口２１Ａ〜２１Ｄに案内するファンケーシング６０Ａ〜６０Ｄが組み込まれている。
【０００４】
ファンケーシング６０Ａは、図９に示すように、仕切板２０に取り付けられる上面ケーシング６１Ａと、その上面ケーシング６１Ａの下方から上面ケーシング６１Ａに結合される下面ケーシング６２Ａを有する。６１ｅ，６１ｆは上面ケーシング６１Ａの取付片であり、この取付片６１ｅ，６１ｆが仕切板２０に取り付けられる。上面ケーシング６１Ａの左側面部６１ｂには弾性爪６１ｂ２、６１ｂ３が形成され、右側面部６１ｃには弾性爪６１ｃ２、６１ｃ３が形成され、下面ケーシング６２Ａの左側面部６２ｂには係止孔６２ｂ１、６２ｂ２が形成され、右側面部６２ｃに係止孔６２ｃ１、６２ｃ２が形成されている。そして、上面ケーシング６１ａの弾性爪６１ｂ２、６１ｂ３、６１ｃ２、６１ｃ３を下面ケーシング６２Ａの係止孔６２ｂ１、６２ｂ２、６２ｃ１、６２ｃ２に係止することにより、下面ケーシング６２Ａが上面ケーシング６１Ａに結合され、シロッコファン４０Ａを上下から覆うようになる。ファンケーシング６０Ｂ〜６０Ｄについても同様に構成され、シロッコファン４０Ｂ〜４０Ｄを上下から覆う。
【先行技術文献】
【特許文献】
【０００５】
【特許文献１】特許第５９６１７５１号公報
【発明の概要】
【発明が解決しようとする課題】
【０００６】
しかしながら、このような室内機は、大型になるほど横方向（ファンケーシング６０Ａ〜６０Ｄの並びの方向）の長さが長くなり、しかもファンケーシング６０Ａは、取付片６１ｅ、６１ｆによって仕切板２０に片持ち支持で取り付けられ、残りのファンケーシング６０Ｂ〜６０Ｄも同様に取り付けられるので、仕切板２０にはファンケーシング６０Ａ〜６０Ｄの全重量が加わる。このため、仕切板２０に撓みが生じやすく、その撓みによってシャーシ１０に歪が発生しグリル１１８やフィルタの取付端部に隙間や重なりが発生して室内機の外観が損なわれる惧れがある。また、ファンケーシング６０Ａ〜６０Ｄと仕切板２０の送風開口２１Ａ〜２１Ｄとの位置合わせにズレが発生して、送風性能にバラツキが発生することもある。
【０００７】
本発明の目的は、仕切板に撓みが発生することを防止して、上記した問題を解決した空気調和機の室内機を提供することである。
【課題を解決するための手段】
【０００８】
上記目的を達成するために、請求項１にかかる発明は、天面板、該天面板の奥端から立ち下がる背面板、前記天面板の左端から立ち下がる左側面板、及び前記天面板の右端から立ち下がる右側面板を備えるシャーシと、該シャーシの前記左側面板と前記右側面板との間に取り付けられ通風口が形成された仕切板と、モータと、該モータの出力軸に結合され空気を該出力軸に平行な方向から吸い込み遠心方向に吹き出すシロッコファンと、該シロッコファンの吹出空気を前記仕切板の前記通風口に案内するよう前記シロッコファンを内部に囲むよう配置されるファンケーシングと、を備えた空気調和機の室内機において、前記ファンケーシングは、一端が前記仕切板に取り付けられ、他端が前記シャーシの前記背面板に取り付けられていることを特徴とする。
請求項２にかかる発明は、請求項１に記載の空気調和機の室内機において、前記ファンケーシングは、前記一端に前記仕切板に取り付けられる第１取付部が設けられ前記他端に前記背面板に取り付けられる第２取付部が設けられた上面ケーシングと、該上面ケーシングに結合される下面ケーシングとを有し、前記背面板には、前記第２取付部が取り付けられる第３取付部が設けられていることを特徴とする。
請求項３にかかる発明は、請求項２に記載の空気調和機の室内機において、前記第２取付部は前記天面板に平行に伸びる第２取付片を有し、前記第３取付部は前記天面板に平行になるように前記背面板から前記仕切板の方向に切り起した第３取付片で形成されていることを特徴とする。
請求項４にかかる発明は、請求項３に記載の空気調和機の室内機において、前記第２取付部は、前記第２取付片の他に前記第２取付片の先端から前記第２取付片に対して９０度曲折した方向に伸びる閉塞片が形成され、前記第２取付部が前記第３取付部に取り付けられたとき、前記閉塞片が前記第３取付片の切り起しにより形成された開口を閉じることを特徴とする。
請求項５にかかる発明は、請求項３又は４に記載の空気調和機の室内機において、前記下面ケーシングに前記第２取付片と固定される第４取付片が設けられていることを特徴とする。
請求項６にかかる発明は、請求項２に記載の空気調和機の室内機において、前記第２取付部は、前記天面板に垂直方向で且つ前記仕切板に垂直方向を向くように前記他端に設けられた連結片と、前記天面板に垂直方向で且つ前記仕切板に平行な方向を向くよう該連結片の先端に設けられた第５取付片とで形成され、前記第３取付部は、前記背面板から切り起され先端が前記背面板の内側で対向するように折り曲げられた第６取付片と第７取付片とで形成され、前記第５取付片が前記背面板と前記第６取付片と前記７取付片との間に挿入され、且つ前記第５取付片が前記第６取付片と前記７取付片に固定されることを特徴とする。
【発明の効果】
【０００９】
本発明によれば、ファンケーシングの一端が仕切板に取り付けられ、他端がシャーシの背面板に取り付けられるので、ファンケーシングの重量は仕切板のみではなくシャーシの背面板によっても受け止められることになる。このため、仕切板に撓みが発生することを防止でき、これによってシャーシに歪が発生することも防止できる。このため、室内機のグリルやフィルタの取付端部に隙間や重なりが発生したり、送風性能にバラツキが発生することを防止できる。
【図面の簡単な説明】
【００１０】
【図１】本発明の第１実施例の室内機の外装筐体を取り外し全体を上下反転した状態の斜視図である。
【図２】本発明の第１実施例の室内機の外装筐体を取り外し全体を上下反転した状態の分解斜視図である。
【図３】本発明の第１実施例の室内機のファンケーシングの上下反転した状態の分解斜視図である。
【図４】本発明の第２実施例の室内機の外装筐体を取り外し全体を上下反転した状態の分解斜視図である。
【図５】本発明の第２実施例の室内機のファンケーシングの上下反転した状態の分解斜視図である。
【図６】従来の天井吊下げ型の空気調和機の室内機の斜視図である。
【図７】従来の室内機の外装筐体を取り外し全体を上下反転した状態の斜視図である。
【図８】従来の室内機の外装筐体を取り外し全体を上下反転した状態の分解斜視図である。
【図９】従来の室内機のファンケーシングの上下反転した状態の分解斜視図である。
【発明を実施するための形態】
【００１１】
＜第１実施例＞
図１〜図３に本発明の第１実施例の室内機を示す。シャーシ１０は板金製であり、図６の天面パネル１１１の内側に位置する天面板１１と、図６の背面パネル１１５の内側に位置する背面板１２と、図６の左側面パネル１１４の内側に位置する左側面板１３と、図６の右側面パネル１１３の内側に位置する右側面板１４とで構成されている。背面板１２は天面板１１の奥端１１ａから立ち下がり、左側面板１３は天面板１１の左端１１ｂから立ち下がり、右側面板１４は天面板１１の右端１１ｃから立ち下がるよう組み立てられている。このシャーシ１０の内部は、左側面板１３と右側面板１４との間に架け渡すように背面板１２と平行に取り付けられた仕切板２０によって、背面板１２の側の送風機室１０Ａとその背面板１２と反対側の熱交換器室１０Ｂとに区画されている。
【００１２】
そして、左側面板１３からシャーシ１０の内側方向に切り起こされた取付片１３ａと右側面板１４からシャーシ１０の内側方向に切り起こされた取付片１４ａに対して、一点鎖線で示した熱交換器３０の両端部が取り付けられる。これら取付片１３ａ，１４ａは、熱交換器３０が天面板１１に対して傾斜した姿勢で取り付けられるように、斜めに形成されている。
【００１３】
シャーシ１０の背面板１２には、後記するファンケーシング６０Ａ，６０Ｂ，６０Ｃ，６０Ｄを固定するための取付部１２１Ａ，１２１Ｂ，１２１Ｃ，１２１Ｄが横並びで形成されている。取付部１２１Ａを代表して説明すると、この取付部１２１Ａは、背面板１２からシャーシ１０の内側に切り起して天面板１１に平行になるように曲折された取付片１２１ａで形成されている。１２１ａ１は取付片１２１ａに形成された取付孔、１２１ａ２は取付片１２１ａを切り起すことで形成された開口である。ここで、請求項に記載の第３取付部は取付部１２１Ａ〜１２１Ｄによって実現されている。また、請求項に記載の第３取付片は取付部１２１Ａ〜１２１Ｄに形成された取付片１２１ａ〜１２１ｄによって実現されている。
【００１４】
仕切板２０には、送風機室１０Ａと熱交換器室１０Ｂの間を個々に連通させる４個の通風口２１Ａ，２１Ｂ，２１Ｃ，２１Ｄがその仕切板２０の長手方向に沿って並んで形成されている。また、その仕切板２０の長手方向の一端にシャーシ１０の左側面板１３に取り付けるための取付片２２が形成され、他端にシャーシ１０の右側面板１４に取り付けるための取付片２３が形成されている。また、仕切板２０の取付片２２と通風口２１Ａの間には、両軸モータ５０の一方の出力軸５１の先端を支持する軸受２４ａを有する軸受板２４が取り付けられ、取付片２３と通風口２１Ｄとの間には、両軸モータ５０の他方の出力軸５２の先端を支持する軸受２５ａを有する軸受板２５が取り付けられている。さらに、仕切板２０の通風口２１Ｂと２１Ｃの間には、両軸モータ５０を取り付けるためのモータ取付板２６、２７が取り付けられている。
【００１５】
４個のシロッコファン４０Ａ，４０Ｂ，４０Ｃ，４０Ｄの内の２つのシロッコファン４０Ａ，４０Ｂは、両軸モータ５０の一方の出力軸５１に取り付けられ、残りの２個のシロッコファン４０Ｃ，４０Ｄは他方の出力軸５２に取り付けられている。そして、それら４個のシロッコファン４０Ａ〜４０Ｄは、両軸モータ５０が回転することによって、出力軸５１，５２の方向から空気を吸い込んで遠心方向に、つまり仕切板２０の通風口２１Ａ〜２１Ｄの方向にその空気を吹き出す。
【００１６】
ファンケーシング６０Ａは、シロッコファン４０Ａを上下から囲む上面ケーシング６１Ａと下面ケーシング６２Ａを有する。ファンケーシング６０Ｂは、シロッコファン４０Ｂを上下から囲む上面ケーシング６１Ｂと下面ケーシング６２Ｂを有する。ファンケーシング６０Ｃは、シロッコファン４０Ｃを上下から囲む上面ケーシング６１Ｃと下面ケーシング６２Ｃを有する。ファンケーシング６０Ｄは、シロッコファン４０Ｄを上下から囲む上面ケーシング６１Ｄと下面ケーシング６２Ｄを有する。これらファンケーシング６０Ａ〜６０Ｄは構造が共通であるので、ファンケーシング６０Ａを代表して図３を参照してその詳細を説明する。
【００１７】
ファンケーシング６０Ａの上面ケーシング６１Ａには、上面部６１ａ、左側面部６１ｂ、右側面部６１ｃ、及び上面部６１ａと左側面部６１ｂと右側面部６１ｃで囲まれた送風口６１ｄが形成されている。そして、その送風口６１ｄが仕切板２０の通風口２１Ａの上側（図１、図２では下側）と両側を囲むように、送風機室１０Ａの側に、取付片６１ｅ、６１ｆによって取り付けられる。左側面部６１ｂには、空気吸込用の湾曲部６１ｂ１と下面ケーシング６２Ａとの結合用の弾性爪６１ｂ２，６１ｂ３が形成されている。右側面部６１ｃにも同様に、湾曲部６１ｃ１と弾性爪６１ｃ２，６１ｃ３が形成されている。また、上面部６１ａの送風口６１ｄと反対側には、シャーシ１０の背面板１２に取り付けるためのＬ字形状の取付部６１ｇが形成されている。そして、この取付部６１ｇは、取付孔６１ｇ１１を有する取付片６１ｇ１と、その取付片６１ｇ１から立ち下がる閉塞片６１ｇ２とで構成されている。ここで、請求項に記載の第１取付部は取付片６１ｅ，６１ｆによって実現されている。また、請求項に記載の第２取付部は取付部６１ｇによって実現されている。さらに、請求項に記載の第２取付片は取付片６１ｇ１によって実現されている。
【００１８】
ファンケーシング６０Ａの下面ケーシング６２Ａには、下面部６２ａと左側面部６２ｂと右側面部６２ｃと取付片６２ｄが形成されている。左側面部６２ｂの側には上面ケーシング６１Ａの弾性爪６１ｂ２に係合する係合孔６２ｂ１と、上面ケーシング６１Ａの弾性爪６１ｂ３に係合する係合孔６２ｂ２が形成されている。右側面部６２ｃにも同様な弾性爪がそれぞれ形成されているが、図示していない。ここで、請求項に記載の第４取付部は取付片６２ｄによって実現されている。
【００１９】
さて、本実施例の室内機を組み立てる際には、図２に示すように、まず、軸受２４ａ，２５ａを装着した軸受板２４、２５を仕切板２０の両側に取り付け、各通風口２１Ａ〜２１Ｄの上側をそれぞれ囲むように、仕切板２０の軸受板２４，２５を取り付けた側と同じ側にファンケーシング６０Ａ〜６０Ｄの上面ケーシング６１Ａ〜６１Ｄを、取付片６１ｅ、６１ｆによってそれぞれ取り付ける。また、仕切板２０の通風口２１Ｂと２１Ｃの間に、上面ケーシング６１Ａ〜６１Ｄと並ぶように、モータ取付板２６，２７を取り付ける。
【００２０】
次に、シロッコファンファン４０Ａ〜４０Ｄを両軸モータ５０の出力軸５１，５２に固着してから、一方の出力軸５１の先端が軸受２４ａに結合し、他方の出力軸５２の先端が軸受２５ａに結合するように、両軸モータ５０をモータ取付体２６，２７に取り付ける。このとき、軸受板２４，２５の一方の仕切板２０への取付状態を緩めると作業が容易となる。これらの作業の結果、シロッコファン４０Ａ〜４０Ｄの上半分（図２では下半分）がファンケーシング６０Ａ〜６０Ｄの上面ケーシング６１Ａ〜６１Ｄの内部に収まるようになる。
【００２１】
最後に、ファンケーシング６０Ａ〜６０Ｄの下面ケーシング６２Ａ〜６２Ｄを、上面ケーシング６１Ａ〜６１Ｄとシャーシ１０の背面板１２に、それぞれ取り付ける。
【００２２】
このとき、ファンケーシング６０Ａでは、下面ケーシング６２Ａの左側面部６２ｂの側の係止孔６２ｂ１が上面ケーシング６１Ａの弾性爪６１ｂ２に係合し、下面ケーシング６２Ａの左側面部６２ｂの側の係止孔６２ｂ２が上面ケーシング６１Ａの弾性爪６１ｂ３に係合する。また、下面ケーシング６２Ａの右側面部６２ｃの側の図示しない係止孔が上面ケーシング６１Ａの弾性爪６１ｃ２に係合し、下面ケーシング６２Ａの右側面部６２ｃの側の図示しない係止孔が上面ケーシング６１Ａの弾性爪６１ｃ３に係合する。これらにより、仕切板２０の通風口２１Ａの送風機室１０Ｂの側は、その全周囲がファンケーシング６０Ａによって囲まれる。
【００２３】
さらに、下面ケーシング６２Ａの取付片６２ｄの取付孔６２ｄ１が、上面ケーシング６１Ａの取付部６１ｇの取付片６１ｇ１の取付孔６１ｇ１１とシャーシ１０の背面板１２の取付片１２１ａの取付孔１２１ａ１に合致するので、それら３個の取付孔６２ｄ１、６１ｇ１１、１２１ａ１をネジで締め付ける。このとき、シャーシ１０の背面板１２の取付部１２１Ａの開口１２１ａ２は、下側ケーシング６２Ａの閉塞片６１ｇ２によって塞がれる。
【００２４】
以上により、ファンケーシング６０Ａは、仕切板２０とシャーシ１０の背面板１２とに対して取り付けられる。残りのファンケーシング６０Ｂ〜６０Ｄについても同様に組み立てられる。
【００２５】
以上から本実施例によれば、ファンケーシング６０の一端が仕切板２０に取り付けられ、他端がシャーシ１０の背面板１２に取り付けられるので、ファンケーシング６０の重量は仕切板２０のみではなくシャーシ１０の背面板１２によっても受け止められることになる。このため、仕切板２０が横長の形状であっても、それらに撓みが発生することを防止することができ、これによってシャーシ１０に歪が発生することも防止できる。このため、室内機のグリル１８やフィルタの取付端部に隙間や重なりが発生したり、通風口２１Ａ〜２１Ｄにおける送風性能にバラツキが発生することを防止できる。
【００２６】
なお、本実施例において、ファンケーシング６０Ａ〜６０Ｄの下面ケーシング６２Ａ〜６２Ｄの取付片６２ｄは省略することができる。
【００２７】
＜第２実施例＞
図４と図５に本発明の第２実施例の室内機を示す。本実施例は、シャーシ１０の背面板１２に、第１実施例のシャーシ１０の背面板１２の取付部１２１Ａに代えて、先端が向き合うように図４において横方向に伸びるよう切り起した一対の取付片１２２ａ，１２２ｂからなる取付部１２２Ａを形成する。同様に、第１実施例の取付部１２１Ｂ〜１２１Ｄに代えて、同様の取付部１２２Ｂ〜１２２Ｄを形成する。取付片１２２ａには取付孔１２２ａ１が形成され、取付片１２２ｂにも同様の取付孔１２２ｂ１が形成されている。１２２ｃは取付片１２２ａを切り起すことで形成された開口、１２２ｄは取付片１２２ｂを切り起すことで形成された開口である。ここでは、請求項に記載の第３取付部が取付部１２２Ａ〜１２２Ｄで実現されている。また、請求項に記載の第６取付片が取付片１２２ａで実現され、第７取付片が取付片１２２ｂで実現されている。
【００２８】
また、ファンケーシング６０Ａの下面ケーシング６１Ａには、第１実施例の取付部６１ｇに代えて、平面視でＴ字形状の取付部６１ｈを形成する。この取付部６１ｈは、下面ケーシング６１Ａが仕切板２０に取り付けられた状態では、仕切板２０に垂直で天面板１１に垂直となるように下面部６１ａから伸びる連結片６１ｈ２と、連結片６１ｈ２の先端に結合され仕切板２０に平行で天面板１１に垂直となるように形成された取付片６１ｈ１を備える。取付片６１ｈ１には取付孔６１ｈ１１，６１ｈ１２が形成されている。残りのファンケーシング６０Ｂ〜６０Ｄについても下面ケーシング６１Ｂ〜６１Ｄに同様の取付部６１ｈが形成されている。ここでは、請求項に記載の第２取付部が取付部６１ｈで実現されている。また、請求項に記載の第５取付片が取付片６１ｈ１で実現されている。
【００２９】
本実施例では、下面ケーシング６１Ａをシャーシ１０の背面板１２に取り付ける際に、取付片６１ｈ１を、シャーシ１０の背面板１２の取付部１２２Ａの一対の取付片１２２ａ、１２２ｂと背面板１２の間にスライドさせて嵌め込む。これにより、その取付片１２２ａの取付孔１２２ａ１が取付片６１ｈ１の取付孔６１ｈ１１に合致し、取付片１２２ｂの取付孔１２２ｂ１が取付片６１ｈ１の取付孔６１ｈ１２に合致する。よって、取付孔１２２ａ１と６１ｈ１１をネジで、取付孔１２２ｂ１と６１ｈ１２を別のネジで、それぞれ背面板１２の外側から固定することができ、これによって、下面ケーシング６１Ａをシャーシ１０の背面板１２に取り付けることができる。残りの下面ケーシング６１Ｂ〜６１Ｄをシャーシ１０の背面板１２に取り付ける場合も同様である。
【００３０】
本実施例においても、ファンケーシング６０の一端が仕切板２０に取り付けられ、他端がシャーシ１０の背面板１２に取り付けられるので、ファンケーシング６０の重量は仕切板２０のみではなくシャーシ１０の背面板１２によっても受け止められることになる。このため、第１実施例と同様の作用効果を得ることができる。
【００３１】
＜その他の実施例＞
なお、以上説明した第１及び第２実施例の室内機は、天吊り型の空気調和機の室内機についてのものであったが、天井埋込型の室内機に対しても、吸込口が下面に設けられたものであれば、前記実施例の内容を全く同様に適用することができる。
【符号の説明】
【００３２】
１００：室内機
１１０：外装筐体、１１１：天面パネル、１１２：下面パネル、１１３：右側面パネル、１１４：左側面パネル、１１５：背面パネル、１１６：ルーバー、１１７：吹出口、１１８：グリル、１１９：吸込口
１０：シャーシ、１０Ａ：送風機室、１０Ｂ：熱交換器室、１１：天面板、１１ａ：奥端、１１ｂ：左端、１１ｃ：右端、１２：背面板、１２１Ａ〜１２１Ｄ，１２２Ａ〜１２２Ｄ：取付部、１３：左側面板、１３ａ：取付片、１４：右側面板、１４ａ：取付片
２０：仕切板、２１Ａ〜２１Ｄ：通風口、２２，２３：取付片、２４，２５：軸受板、２４ａ，２５ａ：軸受、２６，２７：モータ取付板
３０：熱交換器
４０Ａ〜４０Ｄ：シロッコファン
５０：両軸モータ、５１，５２：出力軸
６０Ａ〜６０Ｄ：ファンケーシング、６１Ａ〜６１Ｄ：上面ケーシング、６１ａ：上面部、６１ｂ：左側面部、６１ｂ１：湾曲部、６１ｂ２，６１ｂ３：弾性爪、６１ｃ：右側面部、６１ｃ１：湾曲部、６１ｃ２，６１ｃ３：弾性爪、６１ｄ：送風口、６１ｅ，６１ｆ：取付片、６１ｇ：取付部、６１ｇ１：取付片、６１ｇ２：閉塞片、６１ｈ：取付部、６１ｈ１：取付片、６１ｈ２：連結片、６２Ａ〜６２Ｄ：下面ケーシング、６２ａ：下面部、６２ｂ：左側面部、６２ｃ：右側面部、６２ｄ：取付片、６２ｄ１：取付孔
【図１】
2019052793.tif 000003
【図２】
2019052793.tif 000004
【図３】
2019052793.tif 000005
【図４】
2019052793.tif 000006
【図５】
2019052793.tif 000007
【図６】
2019052793.tif 000008
【図７】
2019052793.tif 000009
【図８】
2019052793.tif 000010
【図９】
2019052793.tif 000011